(57)【要約】      （修正有）【課題】ありとあらゆる頭髪に対応可能であり、しかも、繰り返して何回も使用可能な頭髪整形補助具を提供する。【解決手段】本頭髪整形補助具１は、頭皮に面する下面３ａと当該下面の反対面である上面３ｂとを有する板状基材３と、当該板状基材下面に設けられた頭髪絡み留めのための下側弾性フック群５と、当該板状基材上面に設けられた頭髪絡み留めのための上側弾性フック群７とを備えている。上下のフック群が頭髪に絡み留まるので、その性質を利用して頭髪を自在に整形することができる。接着固定ではないので、繰り返して使用が可能である。【選択図】図３
0003169344.tif 000002
【実用新案登録請求の範囲】
【請求項１】
頭皮に面する下面と当該下面の反対面である上面とを有する板状基材と、
当該板状基材下面に設けられた頭髪絡み留めのための下側弾性フック群と、
当該板状基材上面に設けられた頭髪絡み留めのための上側弾性フック群と、
を備えることを特徴とする頭髪整形補助具。
【請求項２】
前記下側弾性フック群と前記上側弾性フック群とのうち、少なくとも前記下側弾性フック群における、一方向の弾性フック間ピッチと、当該一方向と直交方向の弾性フック間ピッチとが互いに異なる
ことを特徴とする請求項１記載の頭髪整形補助具。
【請求項３】
前記一方向を装着時に頭髪を横切る方向と一致させたときの前記弾性フック間ピッチが互い違いに広狭となるように設定してある
ことを特徴とする請求項２記載の頭髪整形補助具。
【請求項４】
上下に分けた上頭髪と下頭髪との間に挿入したときに、
前記下側弾性フック群は、当該下頭髪の上に載置したまま僅かに下方にずらすことにより当該下頭髪を強制的に下方向に向かせられるように、かつ、この状態において、前記上側弾性フック群は、元に戻した当該上頭髪を絡み留めするように構成してある
ことを特徴とする請求項１ないし３いずれか記載の頭髪整形補助具。
【請求項５】
上下に分けた上前髪と下前髪との間に挿入したときに、  
前記下側弾性フック群は、当該下前髪の上に載置したまま僅かに下方にずらすことにより当該下前髪を強制的に下方向に向かせられるように、かつ、この状態において、前記上側弾性フック群は、元に戻して馴染むように上掛けした当該上前髪を絡み留めするように構成してある
ことを特徴とする請求項１ないし３いずれか記載の頭髪整形補助具。
【請求項６】
前記板状基材は、装着時上下方向に短い楕円形状に形成してあり、かつ、頭の形に合わせて湾曲させてある
ことを特徴とする請求項５記載の頭髪整形補助具。
【請求項７】
前記板状基材の上下端は、櫛歯状に形成してある
ことを特徴とする請求項６記載の頭髪整形補助具。
【請求項８】
前記板状基材の少なくとも一部は、通気可能なメッシュ地により構成してある
ことを特徴とする請求項１ないし７いずれか記載の頭髪整形補助具。
【考案の詳細な説明】
【技術分野】
【０００１】
本考案は、前髪や後頭部の髪などの頭髪の生え際、つむじ、うねり、および癖毛、
さらに、頭髪のスタイル保持やボリュームアップなどに使用する頭髪整形補助具に関するものである。
【背景技術】
【０００２】
頭髪整形補助具として、たとえば、特許文献１に記載されたものがある。この従来の補助具は、表面にかぎ形のベルベット式ファスナーを設けるとともに、裏面に接着剤を塗布したシート材よりなるものである。従来の補助具は、その裏面の接着剤を髪が薄くなって露出した頭皮に貼り付け、その表面のファスナーに残った頭髪を係止するようになっている。
【先行技術文献】
【特許文献】
【０００３】
【特許文献１】特開平１０−３１７２２２号（段落００１３〜００１６、図１〜３参照）
【考案の概要】
【考案が解決しようとする課題】
【０００４】
しかしながら、従来の補助具は、接着剤を用いて頭皮に直接貼り付けるものであるから、頭皮が完全露出している場合にはある程度の効果が見込めるが、頭髪が残っている場合はその上からの接着は効果がないので使用者の範囲と用途が極めて限られていた。さらに、頭皮から出る油により接着剤の接着力はすぐに弱められ、使用中に剥がれたりする恐れがあり、また、繰り返し使えないことから不経済でもあった。本考案は、このような不都合を解消し、ありとあらゆる頭髪に対応可能であり、しかも、繰り返して何回も使用可能な頭髪整形補助具を提供することを目的とする。
【課題を解決するための手段】
【０００５】
上記目的を達成するために考案者は、多種多様な素材を用いて試験を行った結果、次の構成を採用するに至った。構成の詳しい内容については項を改めて説明する。なお、いずれかの請求項の考案を説明するために行う用語の定義等は、その記載順に関わらず、その性質上可能な範囲に置いて他の請求項に係る考案にも適用があるものとする。
【０００６】
（請求項１記載の考案の特徴）
請求項１記載の考案の係る頭髪整形補助具（以下、「請求項１の補助具」という）は、頭皮に面する下面と当該下面の反対面である上面とを有する板状基材と、当該板状基材下面に設けられた頭髪絡み留めのための下側弾性フック群と、当該板状基材上面に設けられた頭髪絡み留めのための上側弾性フック群と、を備えることを特徴とする。
【０００７】
請求項１の補助具によれば、下側弾性フック群が頭髪に絡みされ、これにより補助具全体が、その頭髪に留められる。留める際には、頭髪に絡みやすくするために補助具全体を頭髪に載置したあと僅かに押えたまま横へ僅かにずらすとよい。横ずらしにより接触する頭髪に引っかかって下側弾性フック各々が変形したり、引っかかりが外れて弾性復帰したりすることにより、頭髪への絡みがより確実なものとなり、これによって、補助具全体が頭髪にしっかりと留められるからである。その後、上側弾性フック群の上に整形具周辺の頭髪を櫛などを使って上掛けして絡み留めさせれば補助具全体を目立たなくできる。上側弾性フック各々の絡み効果は、フック各々の変形と弾性復帰によるものであることは下側弾性フック各々のそれと同じである。
【０００８】
（請求項２記載の考案の特徴）
請求項２記載の考案に係る頭髪整形補助具（以下、「請求項２の補助具」という）は、請求項１の補助具であって、前記下側弾性フック群と前記上側弾性フック群とのうち、少なくとも前記下側弾性フック群における、一方向の弾性フック間ピッチと、当該一方向と直交方向の弾性フック間ピッチとが互いに異なることを特徴とする。
【０００９】
請求項２の補助具によれば、請求項１の補助具の作用効果に加え、弾性フック間のピッチを一方向と多方向で異ならせることにより、色々な髪質や太さ、さらに本数等の違いなどに柔軟に対応し、確実な絡み留めを実現する。すなわち、上述した髪質等の違いはそれに絡む弾性フック片との相対関係に影響を与えることになるが、ピッチを相異ならせておくことにより、違いに適合した絡みにふさわしいピッチに出会う確率が高まるので、このことが絡み留めの確実性に貢献する。
【００１０】
（請求項３記載の考案の特徴）
請求項３記載の考案に係る頭髪整形補助具（以下、「請求項３の補助具」という）は、請求項２の補助具であって、前記一方向を装着時に頭髪を横切る方向と一致させたときの前記弾性フック間ピッチが互い違いに広狭となる（広いピッチと狭いピッチが互い違いに現れる）ように設定してある  ことを特徴とする。
【００１１】
請求項３の補助具によれば、請求項２の補助具の作用効果に加え、弾性フック間ピッチを、広いピッチと狭いピッチが互い違いに現れるようにすることによって、前記した髪質等の違いに対しより細かく対応することが可能になる。より細かな対応は、より確実な絡み留めに繋がる。
【００１２】
（請求項４記載の考案の特徴）
請求項４記載の考案に係る頭髪整形補助具（以下、「請求項４の補助具」という）は、請求項１ないし３いずれかの補助具であって、上下に分けた上頭髪と下頭髪との間に挿入したときに、前記下側弾性フック群は、当該下頭髪の上に載置したまま僅かに下方にずらすことにより当該下頭髪を強制的に下方向に向かせられるように、かつ、この状態において、前記上側弾性フック群は、元に戻した当該上頭髪を絡み留めするように構成してあることを特徴とする。頭髪は、前髪でも後ろ髪でもよいし、後頭部の頭髪などでもよい。要するに、使用する頭髪の部位を問わない。
【００１３】
請求項４の補助具によれば、請求項１ないし３いずれかの補助具の作用効果に加え、下側弾性フック群に絡み留まらせた下頭髪の下方ずらしにより、そのずらし方向に引っ張られた下頭髪が同一方向に向かせられてつむじやうねりなどの癖を整形する機能が生まれる。そして、上頭髪を上側弾性フック群に絡み留まらせれば補助具全体が上頭髪の下に隠れて目立たなくなる。頭髪の整形に加え、頭髪をボリュームアップさせる整形効果もある。
【００１４】
（請求項５記載の考案の特徴）
請求項５記載の考案に係る頭髪整形補助具（以下、「請求項５の補助具」という）は、請求項１ないし３いずれかの補助具であって、上下に分けた上前髪と下前髪との間に挿入したときに、前記下側弾性フック群は、当該下前髪の上に載置したまま僅かに下方にずらすことにより当該下前髪を強制的に下方向に向かせられるように、かつ、この状態において、前記上側弾性フック群は、元に戻して馴染むように上掛けした当該上前髪を絡み留めするように構成してあることを特徴とする。
【００１５】
請求項５の補助具によれば、請求項１ないし３いずれかの補助具の作用効果に加え、下側弾性フック群に絡み留まらせた下前髪の下方ずらしにより、そのずらし方向に引っ張られた下前髪が同一方向に向かせられてつむじやうねりなどの癖を整形する機能が生まれる。額の生え際につむじ、割れ、癖などがあるときに、特に効果的である。そして、上前髪を櫛でとかしながら上側弾性フック群に絡み留まらせれば、上前髪を下前髪に馴染ませることができるし、補助具全体が上頭髪の下に隠れて目立たなくなる。上前髪の整形に加え、頭髪をボリュームアップさせる効果もあることはいうまでもない。
【００１６】
（請求項６記載の考案の特徴）
請求項６記載の考案に係る頭髪整形補助具（以下、「請求項６の補助具」という）は、請求項５の補助具であって、前記板状基材は、装着時上下方向に短い楕円形状に形成してあり、かつ、頭の形に合わせて湾曲させてあることを特徴とする。
【００１７】
そもそも板状基材の形状は不問であり、使用する部位の形状や使用目的（たとえば、補正による整形なのか、ボリュームアップによる整形なのか）に合わせて自由に選択することができる。一方、頭髪が生えているエリア（頭髪エリア）は、大ざっぱにいえば半球体である。半球体の頭髪エリアに違和感なく馴染む形状は一般的に楕円形状であるから、装着した補助具の不自然さをなるべく少なくするために湾曲した楕円形状とした。なお、整形具全体の色彩についても何ら制限はないが、頭髪の色に合わせて黒、栗色、グレーなどを単独もしくは組み合わせた色彩とすることもできるが、アクセサリー的効果を得るために頭髪とは異なる色彩や模様を施すことを妨げない。
【００１８】
（請求項７記載の考案の特徴）
請求項７記載の考案に係る頭髪整形補助具（以下、「請求項７の補助具」という）は、請求項６の補助具であって、前記板状基材（横長に設置された状態）の上下端は、櫛歯状に形成してあることを特徴とする。
【００１９】
請求項７の補助具によれば、請求項６の補助具の作用効果に加え、板状基材の上下端を櫛歯状に形成することによって、上下前髪との馴染みがより深いものになる。すなわち、櫛歯状の山部が髪の間に入ることによって、より違和感の少ない自然な頭髪状態を作り出すことができる。
【００２０】
（請求項８記載の考案の特徴）
請求項８記載の考案に係る頭髪整形補助具（以下、「請求項８の補助具」という）は、請求項１ないし７いずれかの補助具であって、前記板状基材の少なくとも一部（全部であってもよい）は、通気可能なメッシュ地により構成してあることを特徴とする。ここで、メッシュ地は、文字通り網体であってもよいが、これに匹敵するほどの数の孔が多数形成された生地なども、これに含まれる。
【００２１】
請求項８の補助具によれば、請求項１ないし７いずれかの補助具の作用効果に加え、通気可能なメッシュ地を採用することにより、補助具上下間の通気性が確保され、これによって、頭髪の蒸れが有効に防止される。したがって、長時間の装着による不快感が大幅に軽減されて使い勝手が飛躍的に向上する。
【考案の効果】
【００２２】
本考案によれば、ありとあらゆる頭髪に対応可能であり、しかも、繰り返して何回も使用可能な頭髪整形補助具を提供することができる。したがって、つむじ、うねり癖毛等を効果的に整形できるし、繰り返して使用可能なのでたいへん経済的である。
【図面の簡単な説明】
【００２３】
【図１】本実施形態に係る頭髪整形補助具の上面斜視図である。
【図２】図１に示す頭髪整形補助具の底面斜視図である。
【図３】図２のＡ−Ａ断面図である。
【図４】頭髪整形補助具の第１使用方法を示す正面図である。
【図５】頭髪整形補助具の第２使用方法を示す正面図である。
【図６】頭髪整形補助具の第３使用方法を示す正面図である。
【考案を実施するための形態】
【００２４】
各図を参照しながら、本考案を実施するための形態（以下、「本実施形態」という）について説明する。ここでは、まず、頭髪整形補助具（以下、単に「補助具」という）の構造について説明し、その後、補助具の具体的な使用状態を説明する。
【００２５】
（補助具の概略構造）
図1〜３を用いて補助具の概略構造を説明する。補助具１は装着時横長の楕円（木の葉）形状に外観を構成してある。補助具１は、後述する前髪整形を主目的としている。図１および２に示すように、板状基材３の上下端（楕円の短径の両端と交わる両辺）は、櫛歯状の櫛歯部３ｚ，３ｚに形成してある。櫛歯部３ｚ，３ｚを設けたのは、その山部を頭髪に刺さるように入り込ませることにより、同部が頭髪に馴染みやすくするためである。
【００２６】
外観を構成する主要部材は、板状基材３である。板状基材３は、頭皮に面する下面３ａと下面３ａの反対面である上面３ｂとを有し、使用者の頭の形に合わせて湾曲している。下面３ａは下側基材３ｐの一部であり、上面３ｂは上側基材３ｑの一部である。上側基材３ｑが上記した楕円形状に構成してあり、上部基材３ｑの裏面に細長い四角形状の下面基材３ｐを貼り合わせたものが板状基材３となる。上側基材３ｑは、本実施形態がそうであるように合成樹脂製（金属製その他の素材製でもよい）のメッシュ地によって構成するとよい。メッシュ地の通気性を利用して装着時の蒸れをなるべく減らすためである。本実施形態では上面基材５ｐに比べ下面基材３ｐの面積が小さいのでそのように構成しなかったが、下側基材３ｐも併せてメッシュ地によって構成することもできる。
【００２７】
（下側弾性フック群の構成）
板状基材３の下面３ａ（すなわち、下面基材３ｐの下面）には、頭髪絡み留めのための下側弾性フック群５（１本を示すときは、「下側弾性フック５」という）を設けてある。下側弾性フック群５は、下側板状基材３の下面（頭皮に面する面）全域に網状に広がるベース部５ａと、細長くベース部５ａから装着時の頭髪方向に垂下する多数の柱部５ｂと、各柱部５ｂの下端に設けられたフック部５ｃと、から構成してある。ベース部５ａと柱部５ｂ，・・と、フック部５ｃ，・・とは、もともとは別部材であるものを後発的に一体化させることにより形成することもできるが、製造の手間を省くために本実施形態では合成樹脂をワンショットで一体成形してある。柱部５ｂとフック部５ｃとは、両者合わせてキノコ形状に形成してあり、考案者らによる実験によればこの形状が最も好適であると考えられるが、キノコ形状以外の形状（たとえば、リンク形状や鉤型形状）を採用することを妨げない。どの形状を採用するにしろ、頭髪に絡み留まる充分な弾性が必要である。
【００２８】
（フック間ピッチ）
図２に基づいて、下側弾性フック群５のフック間ピッチについて説明する。下側弾性フック群５における、一方向（たとえば、図２に示す楕円の長径方向、頭髪を横切る方向）の弾性フック間ピッチＰ１と、当該一方向と直交方向（同じく楕円の短径方向）の弾性フック間ピッチＰ２とが互いに異なるように設定してある。前髪整形を主目的とする補助具１では、長径方向を横に、短径方向を縦にして使用することが考案者が推奨する使用方向であるが、このときの長径方向ピッチＰ１は短径方向ピッチＰ２よりも小さく（Ｐ１<Ｐ２）となるように設定してある。頭髪を挟みこむ方向となるピッチＰ１を小さく設定するほうが頭髪を絡み留めしやすい一方、頭髪の伸びる方向と平行の短径方向ピッチＰ２まで小さくすると目が細かすぎて装着時に頭髪からはね返されてしまうおそれがあるからである。本実施形態におけるピッチＰ１は０．９mmとしたが０．８〜１．０mmの範囲で適宜設定することができる。同じくピッチＰ２は、１．８mmとしたが、１．５〜２．０mmの範囲が適当であろう。ちなみに、ベース部５ａからフック部５ｃまでの柱部５ｂの高さ寸法は、４．８mmとしたが、５．０mmの±１０％程度が好適である。もっとも、ピッチ幅や高さ寸法は上記したものに限定されるものではない（次に述べる上側弾性フックについても同じ）。フック部の形状や材質、対象とする頭髪の性質や使用箇所などに合わせて変更することを妨げるものではない。
【００２９】
ピッチＰ１とピッチＰ２とを異ならせた上で、ピッチＰ１が互い違いに広狭となるように設定することもできる（図示を省略）。広い狭いが互い違いに現れるように設定することにより、髪質等の違いに対しより細かく対応することが可能になるからである。より細かな対応は、より確実な絡み留めに繋がり、補助具１の使い勝手を格段に高めることになる。
【００３０】
（上側弾性フック群の構成）
引き続き、図１〜３を参照する。板状基材３（上側基材３ｑ）の上面には、頭髪絡み留めのための上側弾性フック群７（１本を表すときは「上側弾性フック７」という）を設けてある。本実施形態における上側弾性フック７は、網状に広がるベース部７ａと、ベース部７ａから起立する多数の柱部７ｂと、各柱部７ｂの上端に形成した鉤型形状（他の形状でも構わない）のフック部７ｃと、から構成してある。上側弾性フック７は、下側弾性フック５と同様に一体成形された合成樹脂製であって、その高さも同様に５mm前後に設定するとよい。
【００３１】
（補助具の第１使用方法）
図４を参照しながら、補助具１の第１使用方法について説明する。図４（ａ）に示すのは、前髪（頭髪）の生え際近くにつむじがあるため、前髪が左右に割れてしまう状態を示している。このような前髪の割れは、櫛でとかしたぐらいでは歯が立たず、ドライヤーを使ったり、パーマをかけたりしても、時間がたつとまた元のように頭髪が左右に割れてしまう。
【００３２】
そこで、まず櫛などを使って前髪を上下に分けで上前髪と下前髪にする。そして上頭髪と下頭髪との間に補助具１を挿入する。具体的には、下側弾性フック群５を、その下面３ａを下前髪の上に載置し、そのままの状態で軽く押しつけながら僅かに（５．０〜１０．０mm程度）下方にずらす。このずらしによって、下前髪の方向が下方に矯正される。つまり、下方へのずらしにより下前髪が下側弾性フック５，・・の間に挟まれてしごかれ、これによって下方に伸びる。擬似的に言えば、４時方向を向いていた前髪や７時方向を向いていた前髪が、下側弾性フック群５の働きによって６時方向に並ばせられる（図４（ｂ））。このとき補助具１は、同じく下側弾性フック群５の働きにより前髪に絡み留まって固定される。固定されるから、下方に伸びた下前髪が伸びたままの状態になる。
【００３３】
次に、上前髪を上側弾性フック群７を覆うように下方に垂らし櫛などを使ってとかす。上前髪は上側弾性フック群７に絡み留められるとともに、下前髪と一体化する（図４（ｃ））。垂らした上前髪は上側弾性フック群７に絡み留められているので風が吹いても容易に舞い上がることがなく、また、補助具１自体を覆い隠すので外から見て違和感を生じさせない。また、補助具１は、何度でも繰り返し使用することができるし、後述する使用方法からも明らかなように、ありとあらゆる頭髪に使用可能である。
【００３４】
（補助具の第２使用方法）
上述した使用方法は、前髪だけに限られない。図５に示すような後頭部の割れ（図５（ａ））や透け地肌（図５（ｂ））、その他の部位にも適用することができる。頭髪を２方向に分けてその一方の上に補助具１を絡み留めてから、他方の頭髪をその上に載せて絡み留める。自毛によって頭髪の気になる箇所を整形できるので、他人に違和感を抱かせずたいへん便利な整形補助具である。前髪と後頭部頭髪のように、一度に複数個の補助具１を使用することもできる。
【００３５】
（補助具の第３使用方法）
図６に示すのは、補助具１を前髪のボリュームアップに用いた状態である。前に垂らした前髪の上に補助具１を載せてから前髪を折り返してその上に載せる。これによって、前髪のボリュームアップができる。この方法によれば、短い前髪であっても簡単に整形することができる。ある箇所では頭髪の方向矯正を、また、他の箇所では頭髪のボリュームアップを図る、というような使い方も頭髪整形のバリエーションを豊富にする上で有効である。
【符号の説明】
【００３６】
１        頭髪整形補助具（補助具）
３        板状基材
３ａ      下面
３ｂ      上面
３ｐ      下側基材
３ｑ      上側基材
３ｚ      櫛歯部
５        下側弾性フック（下側弾性フック群）
５ａ      ベース部
５ｂ      柱部
５ｃ      フック部
７        上側弾性フック（上側弾性フック群）
７ａ      ベース部
７ｂ      柱部
７ｃ      フック部
【図１】
0003169344.tif 000003
【図２】
0003169344.tif 000004
【図３】
0003169344.tif 000005
【図４】
0003169344.tif 000006
【図５】
0003169344.tif 000007
【図６】
0003169344.tif 000008